(57)【特許請求の範囲】
【請求項１】
熱交換されるべき二種の気流(X,Y) をそれぞれ流すための二種の流路(A,B) を備えた浄化機能付熱交換エレメント(1) において、
上記二種の流路(A,B) を隔てる伝熱板(2) と、隣接する伝熱板(2,2) 間の間隔を流路(A) の流通方向の両端部(A1,A1) で規制する流通側間隔規制部材(7,7)(7A,7A)(7B,7B) と、上記流路(A) の流通方向に直交する方向の両端部(A2,A2) で隣接する伝熱板(2,2)間を密封しつつ両伝熱板(2,2) 間の間隔を規制する一対のシール側間隔規制部材(8,8)とを備え、
各一対の流通側およびシール側の間隔規制部材(7,7)(7A,7A)(7B,7B)(8,8)によって四角環状をなす枠体(3,3A) が構成されており、
枠体(3,3A)のうち少なくとも流通側間隔規制部材(7,7A,7B) に、紫外線の照射を受けて汚染物質を浄化する光触媒を担持した光触媒部(22,22A,22B,22C)が配置されていることを特徴とする浄化機能付熱交換エレメント。
【請求項２】
上記光触媒部(22,22B,22C)は、上記流通側間隔規制部材(7,7A,7B) のみに設けられていることを特徴とする請求項１記載の浄化機能付熱交換エレメント。
【請求項３】
上記光触媒部(22A,22B,22C)は、上記枠体(3,3A) の全周にわたって設けられていることを特徴とする請求項１記載の浄化機能付熱交換エレメント。
【発明の詳細な説明】
【０００１】
【発明の属する技術分野】
この発明は、熱交換換気装置その他の空気調和装置に用いられる、二種の気流間で熱交換を行わせ、且つ、気流の浄化を図る浄化機能付熱交換エレメントに関する。
【０００２】
【従来の技術および発明が解決しようとする課題】
従来、例えば熱交換換気装置に脱臭機能を兼備させる場合には、装置内に熱交換エレメントとは別に脱臭エレメントを設けているので、脱臭エレメントの設置スペースが必要となる結果、装置が大型なものとなってしまう。また、別ユニットとして脱臭エレメントを設けるには多大なコストがかかる。
【０００３】
ところで、例えば空気清浄装置では、光触媒を担持させた脱臭エレメントを通気路中に配置し、紫外線を含む光を照射させて空気の脱臭を図る方式が知られている。光触媒を用いると優れた脱臭効果が得られるが、光触媒が高価であるので、エレメントの製造コストが高くなる。
本発明は、上記課題に鑑みてなされたものであり、安価で且つ、浄化性能の優れた浄化機能付熱交換エレメントを提供することを目的とする。
【０００４】
【課題を解決するための手段】
上記目的を達成するための請求項１記載の発明は、熱交換されるべき二種の気流をそれぞれ流すための二種の流路を備えた浄化機能付熱交換エレメントにおいて、上記二種の流路を隔てる伝熱板と、隣接する伝熱板間の間隔を流路の流通方向の両端部で規制する流通側間隔規制部材と、上記流路の流通方向に直交する方向の両端部で隣接する伝熱板間を密封しつつ両伝熱板間の間隔を規制する一対のシール側間隔規制部材とを備え、各一対の流通側およびシール側の間隔規制部材によって四角環状をなす枠体が構成されており、枠体のうち少なくとも流通側間隔規制部材に、紫外線の照射を受けて汚染物質を浄化する光触媒を担持した光触媒部が配置されていることを特徴とする浄化機能付熱交換エレメントである。
【０００５】
所定の面積の伝熱板を狭い隙間で多数枚積層しており、熱交換面積の確保のために伝熱板間の間隔がかなり狭くされている。したがって、エレメントの周囲に配置される光源からの紫外線は、流路の内側領域にはほとんど届かずに、開口する流路の流通方向の端部に主に照射される。
本発明では、エレメントに浄化機能を兼用させるので従来必要であった脱臭エレメントを省くことができる結果、別に設ける場合と比較して、空気調和装置の省スペース化を図ることができ、且つ、コストダウンを図ることができる。
また、枠体にのみ光触媒部が配置される結果、コストダウンが図れる。空気が流され、且つ、紫外線が主に照射される流通側間隔規制部材に光触媒が担持されるので、流路全体に光触媒を担持させる場合と略同等の浄化能力を達成することができる。また、流路の中でも汚染物質を含む埃等が周囲の部材に付着しやすい端部に配置される流通側間隔規制部材に汚染物質に対する浄化作用が働くので、気流の浄化を確実に行うことができる。
また、流通側およびシール側の間隔規制部材によって四角環状の枠体が構成されるので、積層時には間隔規制部材の自重等が分散されて間隔規制部材はつぶれにくい結果、全域にわたって流路がつぶれることなく保たれる。したがって、流通する気流の流量をより確実に一定に保つことができるので、浄化機能付熱交換エレメントの高い浄化能力をより維持することができる。
【０００６】
なお、光触媒による汚染物質の浄化は、空気中の臭い成分を分解すること、空気中の細菌等を死滅させること、空気中のウイルスの活動を不活化させることのうち少なくとも一つを含む趣旨である。また、空気中の汚染物質に限られず、空気中の埃等に付着した汚染物質を浄化することを含む趣旨である。
この流通側間隔規制部材への配置の態様としては、(1)流入側の流通側間隔規制部材にのみ配置、(2)流出側の流通側間隔規制部材にのみ配置、(3)流入側および流出側の流通側間隔規制部材の両方に配置、の三つが考えられる。(1)の場合には、流入側の流通側間隔規制部材で汚染物質に対する浄化作用が働くので、熱交換エレメント内への汚染物質等の付着を確実に防止することができる。また、(3)の場合には、(1)の場合の作用に加えて、光触媒が両方の流通側間隔規制部材に配置されるので浄化能力のアップが図れるという作用を奏する。
【００１２】
請求項２記載の浄化機能付熱交換エレメントは、請求項１において、上記光触媒部は、流通側間隔規制部材のみに設けられていることを特徴とするものである。
【００１３】
この構成では、請求項１記載の発明の作用に加えて、流通側間隔規制部材のみに光触媒部が配置されるので、エレメントに担持させる光触媒の量をより削減でき、コストダウンがさらに図れる一方で、少なくとも紫外線が照射される流通側間隔規制部材には光触媒が担持されるので、流路全体に光触媒を担持させる場合と比較して浄化能力が低下することはない。
【００１４】
請求項３記載の浄化機能付熱交換エレメントは、請求項１において、上記光触媒部は、上記枠体の全周にわたって設けられていることを特徴とするものである。
【００１５】
この構成では、請求項１記載の発明の作用に加えて以下の作用を奏する。四角環状の枠体の全周にわたって光触媒部が設けられるので、光触媒の担持位置を特に考慮する必要がない結果、光触媒を容易に設けることができる。また、素材に予め光触媒を混入させて間隔規制部材を一体に成形することも可能となり、この場合には光触媒部を含む間隔規制部材をコスト安価に設けることができる。
【００１６】
【発明の実施の形態】
本発明の好ましい実施の形態を添付図面を参照しつつ説明する。
図１，図２および図３は本発明の一実施の形態について示している。図１は本発明の一実施の形態の浄化機能付熱交換エレメントの概略分解斜視図であり、図２は浄化機能付熱交換エレメントの要部斜視図である。また、図３は図１の要部を拡大して一部を破断した分解斜視図である。本実施の形態では、本発明を全熱交換エレメントに適用した例に則して説明するが、これに限らず、本発明を顕熱交換エレメントに適用して実施することができる。
【００１７】
図１，図２および図３を参照して、本浄化機能付熱交換エレメント１（以下、単に熱交換エレメント１という。）は、熱交換すべき二種の気流Ｘ，Ｙが互いに直交する方向に流される直交流型である。熱交換エレメント１は、二種の気流Ｘ，Ｙを隔てる方形の伝熱板２と、この伝熱板２の周縁２ａに沿って四角環状をなす枠体３とを交互に９０°ずつ向きを代えて積層した積層体により構成されている。全熱交換エレメントとしての本熱交換エレメント１では、上記伝熱板２は、透湿性および吸湿性を有する素材、例えば、紙又は紙を含む素材により構成されている。枠体３は隣接する伝熱板２，２同士の間隔をその周縁２ａにおいて規制するものである。伝熱板２と、各一対の間隔規制部７，８を含む枠体３とは互いの間を接着することなく積層されている。この積層によって、熱交換エレメント１に、伝熱板２と枠体３とにより区画される二種の気流Ｘ，Ｙの流通用の二種の流路Ａ，Ｂが形成され、流路Ａ，Ｂ内で気流Ｘ，Ｙの浄化が図られる。
【００１８】
伝熱板２は、枠体３によって取り囲まれる中央領域において、隣接する伝熱板２，２間の間隔を規制するための凸部としての凸条４を備えている。図５を参照して、凸条４は複数が平行に配置され互いの間に所定間隔を隔てている。この凸条４は当該凸条４の長手方向に延びる中空部５を有している。図４を参照して、伝熱板２の凸条４の端部４ａと、枠体３の後述する流通側間隔規制部材としての第１の対向辺部７とは所定間隔ｄだけ離されている。
【００１９】
図３を参照して、上記枠体３は、気流Ｘ（Ｙ）の流通を許容する複数の開口６を有する中空の一対の流通側間隔規制部材としての第１の対向辺部７，７と、気流Ｘ（Ｙ）の流通を阻止する中空の一対のシール側間隔規制部材としての第２の対向辺部８，８とを備えている。
図１を参照して、流通側間隔規制部材としての第１の対向辺部７は気流（Ｘ，Ｙ）の流路Ａ（Ｂ）の流通方向の前後の端部Ａ１，Ａ１（Ｂ１，Ｂ１）に配置され、シール側間隔規制部材としての第２の対向辺部８は、流路Ａ（Ｂ）の流通方向に直交する方向の両端部Ａ２，Ａ２（Ｂ２，Ｂ２）で隣接する伝熱板２，２間を密封しつつ両伝熱板間２，２の間隔を規制する。
【００２０】
上記第１の対向辺部７は、隣接する伝熱板２，２にそれぞれ沿う互いに平行な一対の平板部９，９を備えており、また、これらの平板部９，９同士を連結する複数の桁板部１０を備えている。各桁板部１０は平板部９の短手方向（気流Ｘ（Ｙ）が流れる方向）に沿っている。一対の平板部９，９同士の間には、隣接する桁板部１０，１０によって上記開口６が区画されている。すなわち、一対の平板部９，９および複数の桁板部１０によって複数の開口６を区画するための仕切部２１が構成されている。
【００２１】
図６は第１の対向辺部の仕切部の概略断面図である。図６を参照して、仕切部２１を構成する一対の平板部９および各桁板部１０に、光触媒が担持された光触媒部２２が配置される。光触媒部２２は各平板部９の内面９ａおよび各桁板部１０の両側面１０ａ，１０ａに配置され，開口６を通気する気流Ｘ（Ｙ）の浄化が図られる。
【００２２】
光触媒とは紫外線等の光を吸収し、そのエネルギを反応物質に与えて化学反応を起こさせる物質を意味する。この光触媒が有する主な機能としては、▲１▼臭い成分の除去による浄化機能や、▲２▼臭い成分ではない汚染物質を分解する機能や、▲３▼微生物の殺菌やウィルスの不活性を行う機能（いわゆる殺菌・抗菌機能）等も含まれるが、これらの機能は何れも光触媒の有する酸化分解機能によって達成されるものである。
【００２３】
酸化分解機能を有する光触媒としては、例えばアナタース型の結晶構造を有する酸化チタン（ＴｉＯ2 ）を例示することができる。アタナース型の結晶構造を持つ酸化チタンであれば、弱い紫外線でも高い浄化能力を発揮できる点で好ましい。その他、酸化亜鉛（ＺｎＯ）や酸化タングステン（ＷＯ3 ）等を用いることができる。
【００２４】
上記第２の対向辺部８は、隣接する伝熱板２，２にそれぞれ沿う互いに平行な一対の平板部１１，１１を備えており、また、これらの平板部１１，１１同士を互いに連結する複数の桁板部１２，１２とを備えている。各桁板部１２は平板部１１の長手方向に沿っており、一対の平板部１１，１１同士の間に隣接する桁板部１２，１２によって断熱空間１３が区画されている。
【００２５】
第１および第２の対向辺部７，８は一体に押出成形されたものの中央部を取り除くことにより四角環状に形成したものからなる。すなわち、第１の対向辺部７に関していうと、平板部９と桁板部１０とは平板部９の短手方向に沿って一体に押出成形され、第２の対向辺部８に関していうと、一対の平板部１１，１１および複数の桁板部１２は平板部１１の長手方向に沿って押出成形されることになる。
【００２６】
本実施の形態によれば、下記の作用効果を奏する。すなわち、
まず、熱交換エレメント１に浄化機能を兼用させるので、例えば脱臭専用のエレメントを別に設ける場合と比較して、空気調和装置の省スペース化を図ることができ、且つ、コストダウンを図ることができる。
また、気流Ｘ（Ｙ）が流通し、且つ、紫外線が主に照射される流路Ａ（Ｂ）の流通方向の端部Ａ１，Ａ１（Ｂ１，Ｂ１）にある一対の流通側間隔規制部材としての第１の対向辺部７，７のみに光触媒部２２が配置されるので、光触媒の量をより削減でき、コストダウンがさらに図れる。特に、気流Ｘ（Ｙ）に接し、且つ、紫外線が主に照射される各平板部９の内面９ａ，９ａおよび各桁板部１０の両側面１０ａ，１０ａに光触媒部２２が配置されるので、流路Ａ（Ｂ）全体に光触媒を担持させる場合と略同等の浄化能力を達成することができる。さらに、流路Ａ（Ｂ）の中でも汚染物質を含む埃等が周囲に付着しやすい各流路Ａ（Ｂ）の開口６付近で汚染物質に対する浄化作用が働くので、気流Ｘ（Ｙ）の浄化を確実に行うことができる。
【００２７】
また、流通側間隔規制部材としての第１の対向辺部７には、複数の開口６を区画する仕切部２１が備えられているので、開口６を通過する気流Ｘ（Ｙ）と光触媒部２２との接触面積を増加させることが可能な結果、熱交換エレメント１の浄化能力のアップが図れる。
さらに、光触媒部２２が仕切部２１を構成する各平板部９および各桁板部１０の双方に配置されるので、開口６を通過する気流Ｘ（Ｙ）と光触媒部２２との接触面積をより増加させることができる結果、さらに浄化能力のアップを図ることができる。しかも、気流Ｘ（Ｙ）を流入させる仕切部２１の強度が高いので、積層させてもつぶれにくい結果、流通する気流Ｘ（Ｙ）の流量を一定に保つことができる。したがって、熱交換エレメント１の高い浄化能力を維持することができる。
【００２８】
また、枠体３が四角環状に構成されるので、積層時に自重等が分散されて枠体３がつぶれにくい結果、枠体３の全域にわたって流路Ａ（Ｂ）がつぶれることなく保たれる。したがって、流通する気流Ｘ（Ｙ）の流量をより確実に一定に保つことができるので、熱交換エレメント１の高い浄化能力をより維持することができる。
【００２９】
また、枠体３を四角環状に構成したので積層体の端面の強度が高くて変形しにくい結果、気流Ｘ（Ｙ）の流入側となる第１の対向辺部７では圧力損失を少なくできると共に、気流Ｘ（Ｙ）の流入を阻止する側である第２の対向辺部８ではシール性を向上することができる。
また、枠体３の各対向辺部７，８が隣接する伝熱板２に密着される平板部９，１１を有しているので、間隔規制部材３と伝熱板２を互いに接着しなくても十分なシール性を確保することができる。接着されていない伝熱板２と枠体３は容易に分離でき、リサイクルを行い易い。また、接着部分がないので、高湿度下でも接着部分のシール性劣化という問題は生じない。さらに、接着工程が不要なので、組立速度が早く製造コストが安い。
【００３０】
また、枠体３を構成する第１および第２の対向辺部７，８が中空構造なので、軽量化を図ることができる。さらに、端部Ａ１，Ａ２（Ｂ１，Ｂ２）での強度が十分に確保されるので、伝熱板２の中央領域にある凸部としての凸条４は必要最小限の個数を設けるだけで良く、この観点からも軽量化を促進することができる。
【００３１】
また、気流Ｘ（Ｙ）を流入させる側である第１の対向辺部７の強度が高いことに加えて、伝熱板２に沿わされた第１の対向辺部７の一対の平板部９，９が弾力的に厚み調整するように働いて伝熱板２に密着するので、特にシール性が高い。また、第１の対向辺部７の桁板部１０を薄肉化しても全体の構造強度を高くするので、桁板部１０の厚みを可及的に薄くできる結果、圧力損失を低減することができる。
【００３２】
また、気流Ｘ（Ｙ）の流入を阻止する側である第２の対向辺部８の強度が高いことに加えて、伝熱板２に沿わされた一対の平板部１１，１１が弾力的に厚み調整するように働いて伝熱板２に密着するので、特にシール性が高い。また、第２の対向辺部８は中空構造であるので、中実のリブを用いる場合と比較して、軽量化を達成できる。また、第２の対向辺部８では、一対の平板部１１、１１間に隣接する桁板部１２，１２同士によって断熱空間１３が形成されるので、結露の発生を防止することができる。
【００３３】
さらに、第１および第２の対向辺部７，８を一体としたので、強度を一層向上することができる。また、積層もし易い。また、第１および第２の対向辺部７，８が一体に押出成形されるので、枠体３をコスト安価に形成することができる。また、伝熱板２の凸条４の端部４ａと第１の対向辺部７とを所定距離ｄだけ離してあるので、第１の対向辺部７の一対の平板部９，９が伝熱板２を押圧する面圧を高めることができる結果、第１の対向辺部７と伝熱板２との密着性をより向上することができる。しかも、気流Ｘ（Ｙ）が第１の対向辺部７の開口６を通過してから凸条４の端部４ａに到達するまでの間で気流Ｘ（Ｙ）が乱流化するので、熱交換効率を向上することができる。
【００３４】
また、凸部としての凸条４が中空であるので軽量化を図ることができる。また、凸条４も伝熱部となり、熱交換効率を向上することができる。さらに、伝熱板２と凸条４が同一素材からなるので、製造コストをより安くすることができる。上記第１の実施の形態では、凸条４を一体に形成した伝熱板２を設けたが、これに限らず、この際、凸条４を構成する合成樹脂を発泡体として軽量化を図るようにしても良い。
【００３５】
また、図７に示すように、平板からなる伝熱板２の表面に紙製などの波板１９を載せて凸条４Ａを形成するようにすることもできる。この場合、汎用の波板を用いることができ、製造コストを安くすることができる。
なお、上記第１の実施の形態では、枠体３の一対の第１の対向辺部７，７の両方に光触媒部２２が配置されていたが、この態様に限られず、少なくとも一方の第１の対向辺部７に光触媒部２２が配置されていれば良い。また、仕切部２１の全域に配置されなくても、各平板部９の内面９ａ，９ａまたは各桁板部１０の両側面１０ａ，１０ａのうち少なくとも一部に光触媒部２２が配置されていれば良い。さらに、流路Ａ，Ｂの両方に光触媒部２２が配置される態様に限られず、少なくとも一方の流路（Ａ）に光触媒部２２が配置されていれば良い。
【００３６】
次に、図８は本発明の他の実施形態の浄化機能付熱交換エレメントの概略分解斜視図である。図８を参照して、本実施形態が図１の実施の形態と異なるのは、第１の対向辺部７だけではなく、枠体３の全周にわたって光触媒部２２Ａが配置されている点である。
本実施の形態では、上記図１の実施の形態に記載の作用効果と同様の作用効果に加えて、枠体３の全周にわたって光触媒部２２Ａが設けられるので、光触媒の担持位置を特に考慮する必要がない結果、光触媒部２２Ａを容易に設けることができる。また、素材に予め光触媒を混入させて枠体３を成形することも可能となり、この場合には光触媒部２２を含む枠体３をコスト安価に設けることができる。
【００３７】
次いで、図９，図１０および図１１はそれぞれ、本発明の枠体に関する別実施の形態を示している。
まず、上記図１の実施の形態では、四角環状の枠体３を一体に形成したが、図９に示すように、隣接する第１の対向辺部７と第２の対向辺部８とを一体に形成した一対のＬ字型分割体１４，１４同士を互いに組み合わせて四角環状の枠体３Ａを構成するようにしても良い。この場合、一対のＬ字型分割体１４，１４は同一形状を有する。
【００３８】
また、図１の実施の形態では、第１の対向辺部７の各桁板部１０が一対の平板部９に直交するものとしたが、第１の対向辺部７Ａとして、図１０に示すように、交互に逆向きに傾斜して平板部９と協同して三角ラーメン構造を呈する桁板部１５，１６を設けることもできる。隣接する桁板部１５，１６と一対の平板部９とによって、気流Ｘ（Ｙ）が流通するための開口６が区画される。光触媒部２２Ｂは、各桁板部１５，１６の両側面および各平板部９の気流側の面に配置される。
【００３９】
この形態では、図１の実施の形態に記載の作用効果に加えて、三角ラーメン構造を採用することで桁板部１５，１６の光触媒の担持面積を上記実施の形態に記載の桁板部１０の担持面積よりも広くすることができる。したがって、開口６を通過する気流Ｘ（Ｙ）と光触媒との接触面積を一層大きく保つことができるため、浄化能力のアップをさらに図ることができる。しかも、三角ラーメン構造を用いるので、第１の対向辺部７Ａの強度を一層向上することができる。なお、図示していないが、第２の対向辺部８についても同様の構造を採用することができる。
【００４０】
また、図１１に示すように、第１の対向辺部７Ｂとして、母線が平板部９の短手方向（気流Ｘ（Ｙ）を流す方向）に沿う中空円筒からなる桁板部１７を設けることもできる。また、平板部９，９間に隣接する桁板部１７，１７によって開口６が区画されると共に、桁板部１７の中空部１８も気流Ｘ（Ｙ）を流す働きをする。円筒からなる桁板部１７の内外周面および各平板部９の気流側の面に光触媒部２２Ｃが配置される。この実施の形態では、図１の実施の形態に記載の作用効果に加えて、開口６を通過する気流Ｘ（Ｙ）と光触媒との接触面積を一層大きく保つことができるため、浄化能力のアップをさらに図ることができる。また、中空円筒からなる桁板部１７によって第１の対向辺部７Ｂの強度を一層向上することができる。なお、図示していないが、第２の対向辺部８についても同様の構造を採用することができる。
【００４１】
また、図１，図８，図９，図１０および図１１の各実施の形態では、平板部と桁板部とを一体に形成したが、これらを別体に形成して互いに接着するようにしても良い。
なお、本発明は上記各実施の形態に限定されるものではなく、例えば、本発明は顕熱交換エレメントに適用して、伝熱板２の素材の湿度交換を阻止する樹脂（例えばポリプロピレン樹脂）又は金属（例えばアルミニウム）によって構成するようにしても良い。その他、本発明の範囲内で種々の変更が可能である。
【００４２】
【発明の効果】
請求項１記載の発明では、本浄化機能付熱交換エレメントによって例えば脱臭エレメントを兼用できるので、これらを別々に設ける場合と比較して省スペースおよびコストダウンを図ることができる。
また、高価な光触媒の量を削減することができるのでよりコスト安となる。しかも、紫外線が主に照射される流れ方向端部に少なくとも光触媒が担持されるため流路全体に光触媒を担持させる場合と略同等の浄化能力を達成できる。
【００４３】
また、流路の端部で汚染物質に対する浄化作用が働くので、気流の浄化を確実に行える。
また、流通する気流の流量をより確実に一定に保てるので、高い浄化能力をより維持することができる。
【００４６】
請求項２記載の発明では、請求項１記載の発明の効果に加えて、流通側間隔規制部材のみに光触媒部が配置されるので、エレメントの浄化能力を低下させることなくコストダウンを図ることができる。
【００４７】
請求項３記載の発明では、請求項１記載の発明の効果に加えて、光触媒の担持位置を特に考慮する必要がないので、光触媒部を配置し易い。また、予め素材に光触媒を混入させて両間隔規制部材を含む枠体全体を成形することも可能となり、この場合、光触媒部を含む間隔規制部材をコスト安価に設けることができる。
【図面の簡単な説明】
【図１】  浄化機能付熱交換エレメントの概略分解斜視図である。
【図２】  浄化機能付熱交換エレメントの要部の概略斜視図である。
【図３】  図１を拡大して一部を破断した分解斜視図である。
【図４】  伝熱板および枠体の要部平面図である。
【図５】  凸条を横断する断面で切断した伝熱板の断面図である。
【図６】  光触媒の配置の様子を示す、第１の対向辺部の要部の拡大断面図である。
【図７】  本発明の他の実施の形態の浄化機能付熱交換エレメントの伝熱板の概略斜視図である。
【図８】  本発明の他の実施の形態の浄化機能付熱交換エレメントの分解斜視図である。
【図９】  本発明のさらに他の実施の形態の浄化機能付熱交換エレメントの枠体の要部の概略斜視図である。
【図１０】  本発明のさらに他の実施の形態の浄化機能付熱交換エレメントの枠体の要部の概略斜視図である。
【図１１】  本発明のさらに他の実施の形態の浄化機能付熱交換エレメントの枠体の要部の概略斜視図である。
【符号の説明】
１    浄化機能付熱交換エレメント（熱交換エレメント）
２    伝熱板
３，３Ａ    枠体
６    開口
７，７Ａ，７Ｂ    第１の対向辺部（流通側間隔規制部材）
８    第２の対向辺部（シール側間隔規制部材）
９    平板部
１０    桁板部
２１    仕切部
２２，２２Ａ，２２Ｂ，２２Ｃ    光触媒部
Ｘ（Ｙ）    気流
Ａ（Ｂ）    流路
Ａ１（Ｂ１）    流路の流通方向の前後の端部
Ａ２（Ｂ２）    流路の流通方向と直交する方向の端部
【図１】
0004078709.tif 000002
【図２】
0004078709.tif 000003
【図３】
0004078709.tif 000004
【図４】
0004078709.tif 000005
【図５】
0004078709.tif 000006
【図６】
0004078709.tif 000007
【図７】
0004078709.tif 000008
【図８】
0004078709.tif 000009
【図９】
0004078709.tif 000010
【図１０】
0004078709.tif 000011
【図１１】
0004078709.tif 000012